【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
発泡ポリウレタンの可撓性成形部品であって、該成形部品が、平均密度＜３５０ｋｇ／ｍ３、および片側に厚さ０．５ｍｍ〜３ｍｍの圧縮エッジゾーンを有し、そのエッジゾーンの平均密度＞６５０ｋｇ／ｍ３であり、かつ密閉状中空微小球（enclosed hollow microspheres）を含有し、成形部品の収縮率が（ＤＩＮ ＩＳＯ ０２７６９に従って）＜１．５％であり、さらに：
ａ）１分子あたりＮＣＯ基２〜４個およびＮＣＯ含量６〜４９重量％を有する１種以上の有機イソシアネート；
ｂ）ｂ１）数平均分子量８００ｇ／ｍｏｌ〜６，０００ｇ／ｍｏｌ、平均官能価１．７〜４、およびポリエーテルエステルポリオール基のエ−テル基のエステル基に対する重量比５：９５〜４８：５２を有する１種以上のポリエーテルエステルポリオールであって、
ｂ１．１）炭素原子１２個以下の１種以上のジカルボン酸および／またはそれらの誘導体、
ｂ１．２）（ｉ）数平均分子量１，０００ｇ／ｍｏｌ〜８，０００ｇ／ｍｏｌ、エチレンオキシド含量１０〜４０重量％を有する１種以上のポリエーテルポリオール、および（ii）ＯＨ数１０〜１４９および平均官能価１．７〜４であり、およびポリマーポリオール全体の重量に基づいて固形分含量１〜５０重量％を有する１種以上のエーテルベースのポリマーポリオール、からなる群から選択された１種以上のポリエーテルポリオール成分、
ｂ１．３）数平均分子量６２〜７５０ｇ／ｍｏｌ、平均官能価２〜８、および１分子あたり少なくとも２つの末端ＯＨ基を有する１種以上のポリオール、
および、要すれば
ｂ１．４）ＯＨ数１０〜１４９および平均官能価１．７〜４、およびポリマーポリオール全体の重量に基づいて固形分含量１〜５０重量％を有する１種以上のエステルベースのポリマーポリオール
の重縮合により調製されるポリエーテルエステルポリオール；
ｂ２）ｂ２．１）（i）数平均分子量１，０００〜４，０００ｇ／ｍｏｌおよび平均官能価１．７〜４を有する１種以上のポリエステルポリオール、および（ii）ＯＨ数１０〜１４９および平均官能価１．７〜４、およびポリマーポリオール全体の重量に基づいて固形分含量１〜５０重量％を有する１種以上のエステルベースのポリマーポリオールからなる群から選択された１種以上のポリエステルポリオール成分、ｂ２の１００重量％に基づいて、５２〜９５重量％、およびｂ２．２）（i）エチレンオキシド基を含有し、数平均分子量９００〜１８，０００ｇ／ｍｏｌ、平均官能価１．７〜４、およびエチレンオキシド含量１０〜４０重量％を有する１種以上のポリエーテルポリオール、および（ii）ＯＨ数１０〜１４９および平均官能価１．７〜４、およびポリマーポリオール全体の重量に基づいて固形分含量１〜５０重量％を有する１種以上のエーテルベースのポリマーポリオール、からなる群から選択された１種以上のポリエーテルポリオール成分、ｂ２の１００重量％に基づいて、５〜４８重量％
の混合物、
ｂ３）ｂ３．１）二官能性開始剤のプロポキシル化、次いでプロポキシル化生成物のエトキシル化により調製した反応生成物を含有し、プロピレンオキシドとエチレンオキシドの重量比が６０：４０〜８５：１５に維持し、ヒドロキシル数１０〜１１５を有する少なくとも１種のポリエーテルジオール、
および
ｂ３．２）要すればスチレン／アクリロニトリルコポリマー、ポリウレアまたはポリヒドラゾカーボンアミドに基づいた固形分を成分ｂ３の全量に基づいて２０重量％以下を有し、三官能性開始剤のプロポキシル化、次いでエトキシル化より調製し、プロピレンオキシドとエチレンオキシドの重量比を６０：４０〜８５：１５に維持した反応生成物を含有し、ヒドロキシル数１２〜５６を有する少なくとも１種のポリエーテルトリオールからなる群から選択された平均ヒドロキシル官能価２．０２〜２．９５を有する１種以上のポリエーテルポリオール成分、
ｂ４）（i）数平均分子量１，０００〜４，０００ｇ／ｍｏｌおよび平均官能価１．７〜４を有する１種以上のポリエステルポリオール、および（ii）ＯＨ数１０〜１４９および平均官能価１．７〜４、および成分ｂ４）全体の重量に基づいて固形分含量１〜５０重量％を有する１種以上のエステルベースのポリマーポリオールからなる群から選択された１種以上のポリエステルポリオール成分、
ｂ５）ｂ１）とｂ２）の混合物、
ｂ６）ｂ１）とｂ３）の混合物、
および
ｂ７）ｂ１）とｂ４）の混合物；
からなる群から選択されたポリオール成分；
ｃ）１種以上の架橋剤および／または連鎖延長剤、成分ｂ）とｃ）の組合せに基づいて５〜２５重量％、
ｄ）ｄ１）窒素、空気および／または二酸化炭素からなる群から選択された少なくとも１種の発泡剤、
ｄ２）沸点−３０℃〜７５℃を有する化学的発泡剤および物理的発泡剤からなる群から選択された少なくとも１種の成分、
および
ｄ３）１種以上の物理的に発泡する中空微小球、
を含有する発泡剤、
および要すれば１種以上の
ｅ）１種以上の乳化剤、
ｆ）１種以上の添加剤および／または助剤物質、
ｇ）１種以上の触媒
のイソシアネート指数９５〜１１５を有する反応生成物を含有する発泡ポリウレタンの可撓性成形部品。
【請求項２】
発泡ポリウレタンの可撓性成形部品の製造方法であって、該成形部品が密度＜３５０ｋｇ／ｍ３および片側に厚さ０．５ｍｍ〜３ｍｍを有する圧縮エッジゾーンを有し、そのエッジゾーンの平均密度＞６５０ｋｇ／ｍ３であり、かつ密閉状中空微小球を含有し、および成形部品の収縮率が（ＤＩＮ ＩＳＯ ０２７６９に従って）＜１．５％であり：
Ａ）金型中で成分ａ）と成分ｂ）および成分ｃ）とを、成分ｄ）および要すればｅ）および／またはｆ）を添加しつつ、要すれば成分ｇ）の存在下で、イソシアネート指数９５〜１１５で反応させる工程、
Ｂ）製造した成形部品を金型から除去する工程、
を含み、
成分ａ）は１分子あたりＮＣＯ基２〜４およびＮＣＯ含量６〜４９重量％を有する１以上の有機イソシアネートを含有し；
成分ｂ）は：
ｂ１）数平均分子量８００ｇ／ｍｏｌ〜６，０００ｇ／ｍｏｌ、平均官能価１．７〜４、およびポリエーテルエステルポリオールのエーテル基のエステル基に対する重量比５：９５〜４８：５２を有する１以上のポリエーテルエステルポリオールであって、
ｂ１．１）炭素原子１２個以下を有する１以上のジカルボン酸および／またはそれらの誘導体、
ｂ１．２）（ｉ）数平均分子量１，０００ｇ／ｍｏｌ〜８，０００ｇ／ｍｏｌ、エチレンオキシド含量１０〜４０重量％を有する１種以上のポリエーテルポリオール、および（ii）ＯＨ数１０〜１４９および平均官能価１．７〜４、およびポリマーポリオール全体の重量に基づいて固形分含量１〜５０重量％を有する１種以上のエーテルベースのポリマーポリオール、からなる群から選択された１以上のポリエーテルポリオール成分、
ｂ１．３）数平均分子量６２〜７５０ｇ／ｍｏｌ、平均官能価２〜８、および１分子あたり少なくとも２つの末端ＯＨ基を有する１種以上のポリオール、
および、要すれば、
ｂ１．４）ＯＨ数１０〜１４９および平均官能価１．７〜４、およびポリマーポリオールの全体の重量に基づいて固形分含量１〜５０重量％を有する１種以上のエステルベースのポリマーポリオール
の重縮合によって調製されるポリエーテルエステルポリオール；
ｂ２）ｂ２．１）（ｉ）数平均分子量１，０００〜４，０００ｇ／ｍｏｌおよび平均官能価１．７〜４を有する１種以上のポリエステルポリオール、および（ii）ＯＨ数１０〜１４９および平均官能価１．７〜４、およびポリマーポリオール全体の重量に基づいて固形分含量１〜５０重量％を有する１種以上のエステルベースのポリマーポリオール、からなる群から選択された１種以上のポリエステルポリオール成分（ｂ２）１００重量％に基づいて）５２〜９５重量％、
および
ｂ２．２）（ｉ）エチレンオキシド基を含有し、および数平均分子量９００〜１８，０００ｇ／ｍｏｌ、平均官能価１．７〜４、およびエチレンオキシド含量１０〜４０重量％を有する１種以上のポリエーテルポリオール、および（ii）ＯＨ数１０〜１４９および平均官能価１．７〜４、およびポリマーポリオール全体の重量に基づいて固形分含量１〜５０重量％を有する１種以上のエーテルベースのポリマーポリオール、からなる群から選択された１種以上のポリエーテルポリオール成分、ｂ２の１００重量％に基づいて５〜４８重量％、
の混合物、
ｂ３）数平均ヒドロキシル官能価２．０２〜２．９５を有し、および
ｂ３．１）二官能性開始剤のプロポキシル化、次いでプロポキシル化生成物のエトキシル化、その場合プロピレンオキシドとエチレンオキシドとの重量比を６０：４０〜８５：１５に維持することによる反応生成物を含有し、ヒドロキシル数１０〜１１５を有する少なくとも１種のポリエーテルジオール、
および
ｂ３．２）要すればスチレン／アクリロニトリルコポリマー、ポリウレアまたはポリヒドラゾカルボンアミドに基づいた固形分を成分ｂ３）全体の重量に基づいて２０重量％以下の量で含有し、三官能性開始剤のプロポキシル化、次いでエトキシル化により調製し、プロピレンオキシドとエチレンオキシドとの重量比を６０：４０〜８５：１５に維持した反応生成物を含有するヒドロキシル数１２〜５６を有する少なくとも１種のポリエーテルトリオール、
からなる群から選択された１種以上のポリエーテルポリオール成分、
ｂ４）（ｉ）数平均分子量１，０００〜４，０００ｇ／ｍｏｌおよび平均官能価１．７〜４を有する１種以上のポリエステルポリオール、および（ii）ＯＨ数１０〜１４９および平均官能価１．７〜４、および成分ｂ４）全体の重量に基づいて固形分含量１〜５０重量％を有する１種以上のエステルベースのポリマーポリオール、からなる群から選択された１種以上のポリエステルポリオール成分、
ｂ５）ｂ１）およびｂ２）の混合物、
ｂ６）ｂ１）およびｂ３）の混合物
および
ｂ７）ｂ１）およびｂ４）の混合物
からなる群から選択されたポリオール成分を含有し；
成分ｃ）が１種以上の架橋剤および／または連鎖延長剤成分ｂ）とｃ）の組合せによる重量に基づいて５〜２５重量％を含有し、
成分ｄ）がｄ１）窒素、空気および／または二酸化炭素からなる群から選択された少なくとも１種の発泡剤、
ｄ２）沸点−３０℃〜７５℃を有する化学的発泡剤および物理的発泡剤からなる群から選択された少なくとも１種の成分、
および
ｄ３）１種以上の物理的に発泡する中空微小球を含有し、
および要すれば
成分ｅ）が１種以上の乳化剤を含有し；
成分ｆ）が１種以上の添加剤および／または助剤を含有し；
成分ｇ）が１種以上の触媒を含有する、
の１種以上
である発泡ポリウレタンの可撓性成形部品の製造方法。